(57)【要約】【課題】  寝室等のプライベートルームとサニタリールームとを直接行き来でき、しかも、それをコスト的に有利に実現できる間取り構造を提供する。【解決手段】  プライベートルーム１とサニタリールーム３とが互いに隣接し、それらが行き来用の第１開口部４で連通されると共に、前記サニタリールーム３とホール等のパブリックスペース２とが互いに隣接し、それらが行き来用の第２開口部５で連通され、そして、第１，第２の開口部４，５が扉６で開閉されるようになされている。第１，第２の開口部４，５は互いに隣接し、これら開口部を開閉する扉６が共通のものからなっているとよい。【選択図】      図１
2005068946.tif 000002
【特許請求の範囲】
【請求項１】
プライベートルームとサニタリールームとが互いに隣接し、それらが行き来用の第１開口部で連通されると共に、
前記サニタリールームとパブリックスペースとが互いに隣接し、それらが行き来用の第２開口部で連通され、かつ、
第１，第２の前記開口部が扉で開閉されるようになされていることを特徴とする間取り構造。
【請求項２】
サニタリールームにおいて、扉を第１開口部閉じの状態にロックできるようになされていると共に、同じくサニタリールームにおいて、扉を第２開口部閉じの状態にロックできるようになされている請求項１に記載の間取り構造。
【請求項３】
前記第１開口部を閉じた扉がプライベートルームにおいてロックできるようになされている請求項１又は２に記載の間取り構造。
【請求項４】
第１，第２の前記開口部が互いに隣接し、これら開口部を開閉する扉が共通のものからなり、
該共通扉で第１、第２のいずれか一方の開口部を閉じることによりもう一方の開口部が開いた状態となり、該もう一方の開口部を閉じることにより前記一方の開口部が開いた状態となるようになされている請求項１乃至３のいずれか一に記載の間取り構造。
【請求項５】
プライベートルームとサニタリールームとが互いに隣接し、それらが行き来用の第１開口部で連通されると共に、
前記サニタリールームとパブリックスペースとが互いに隣接し、それらが行き来用の第２開口部で連通されていることを特徴とする間取り構造。
【発明の詳細な説明】
【技術分野】
【０００１】
本発明は、プライベートルーム、サニタリールーム及びパブリックスペースの関係についての住宅等の建物における間取り構造に関する。
【背景技術】
【０００２】
例えば住宅建築において、従来より様々な間取り構造が提案、提供されているが、例えば、プライベートルームである主寝室に隣接して浴室や洗面室、トイレ等のサニタリールームを設け、主寝室からサニタリールームに直接、即ち廊下やホール等のパブリックスペースを通らずに、行けるようになされた間取り構造は、一般住宅においては、それ用のサニタリールームをもう一つ追加して設ける必要があり、大変贅沢な建物となって建築コストが非常に高くついてしまうという問題がある。
【発明の開示】
【発明が解決しようとする課題】
【０００３】
本発明は、上記のような問題点に鑑み、寝室等のプライベートルームとサニタリールームとを直接行き来することができ、しかも、それをコスト的に有利に実現することができる間取り構造を提供することを課題とする。
【課題を解決するための手段】
【０００４】
上記の課題は、プライベートルームとサニタリールームとが互いに隣接し、それらが行き来用の第１開口部で連通されると共に、
前記サニタリールームとパブリックスペースとが互いに隣接し、それらが行き来用の第２開口部で連通され、かつ、
第１，第２の前記開口部が扉で開閉されるようになされていることを特徴とする間取り構造によって解決される。
【０００５】
この間取り構造では、プライベートルームとサニタリールームとが互いに隣接し、第１開口部で連通されているので、寝室等のプライベートルームとサニタリールームとを直接、即ちホール等のパブリックスペースを通らずに行き来することができる。
【０００６】
しかも、このサニタリールームとパブリックスペースとが互いに隣接し、第２開口部で連通されているので、上記のサニタリールームとパブリックスペースとを直接、即ち寝室等のプライベートルームを通らずに行き来することができ、建物においてサニタリールームをプライベートルーム用とパブリック用の両方に兼用することができて、大変贅沢な間取りでありながら建築コストを低く抑えることができる。
【０００７】
そして、第１，第２の前記開口部は扉で開閉されるようになされているので、第１開口部を開いて第２開口部を閉じることでサニタリールームをパブリックスペースから覗かれないプライベートルーム専用のサニタリールームにすることができると共に、第２開口部を開いて第１開口部を閉じることでサニタリールームをプライベートルームから覗かれないパブリック専用のサニタリールームにすることができる。
【０００８】
上記の間取り構造において、サニタリールームにおいて、扉を第１開口部閉じの状態にロックできるようになされていると共に、同じくサニタリールームにおいて、扉を第２開口部閉じの状態にロックできるようになされているとよい。
【０００９】
この場合は、サニタリールームをプライベートルームから用いるとき、第２開口部を扉で閉じロックしておくことにより、ひとがパブリックスペースからサニタリールームに入ろうとするのが阻止され、プライベートルームとサニタリールームとの行き来を不安感を抱くことなく行うことができるし、サニタリールームをパブリックスペースから用いるとき、第１開口部を扉で閉じロックしておくことにより、ひとがプライベートルームからサニタリールームに入ろうとするのが阻止され、パブリックスペースとサニタリールームとの行き来を不安感を抱くことなく行うことができる。しかも、扉はサニタリールームにおいてロックできるようになされているので、いずれの使用状態においても、扉のロックを動き回ることなくサニタリールームにおいて容易に行うことができる。
【００１０】
第１開口部を閉じた扉がプライベートルームにおいてロックできるようになされている場合は、パブリックスペースからサニタリールームに入ったひとがプライベートルームの扉を開いてしまうのを防ぐことができ、プライベートルームにおけるプライバシーが暴かれてしまうのを防ぐことができる。
【００１１】
第１，第２の前記開口部が互いに隣接し、これら開口部を開閉する扉が共通のものからなり、
該共通扉で第１、第２のいずれか一方の開口部を閉じることによりもう一方の開口部が開いた状態となり、該もう一方の開口部を閉じることにより前記一方の開口部が開いた状態となるようになされているとよい。この場合は、サニタリールームをプライベートルーム用としたり、パブリック用としたりする切り換えを１つの扉を開閉するだけで容易に行うことができ、しかも、一方の開口部を閉じもう一方の開口部を開くという切換えを確実に行うことができる。
【００１２】
なお、上記の課題は、プライベートルームとサニタリールームとが互いに隣接し、それらが行き来用の第１開口部で連通されると共に、
前記サニタリールームとパブリックスペースとが互いに隣接し、それらが行き来用の第２開口部で連通されていることを特徴とする間取り構造、即ち、第１，第２の前記開口部を開閉する扉を省略した間取り構造によっても解決される。
【発明の効果】
【００１３】
本発明は、以上のとおりのものであるから、寝室等のプライベートルームとサニタリールームとを直接行き来することができ、しかも、それをコスト的に有利に実現することができる。
【発明を実施するための最良の形態】
【００１４】
次に、本発明の実施最良形態を図面に基づいて説明する。
【００１５】
図１に示す間取り構造は、主寝室１とホール２とサニタリールーム３の関係についての間取り構造であり、主寝室１がプライベートルームであり、ホール２がパブリックスペースであり、サニタリールーム３にはトイレ９と洗面室１０が備えられている。間取りは、主寝室１とサニタリールーム３とが互いに隣接し、それらが行き来用の第１開口部４で直接連通されると共に、このサニタリールーム３とホール２も互いに隣接し、それらが行き来用の第２開口部５で直接連通され、更に、主寝室１とホール２も互いに隣接し、それらが行き来用の第３開口部７で直接連通されている。
【００１６】
そして、第１開口部４と第２開口部５とは、互いに隣り合うようにして内向きに直交して備えられ、これら両開口部４，５を開閉する扉としての共通の開き戸６が設けられ、図２（イ）に示すように、この共通開き戸６で第２開口部５を閉じることにより、第１開口部４が開いた状態となって、主寝室１とサニタリールーム３とを直接行き来でき、図２（ロ）に示すように、この共通開き戸６で第１開口部４を閉じることにより、第２開口部５が開いた状態となって状態となって、ホール２とサニタリールーム３とを直接行き来できるようになされている。なお、主寝室１とホール２とを連通する第３開口部７には別の出入り用扉８が備えられている。
【００１７】
また、本実施形態では、サニタリールーム３において、開き戸６を第１開口部４閉じの状態にロック操作できるようになされていると共に、同じくサニタリールーム３において、開き戸６を第２開口部５閉じの状態にロック操作できるようになされている。更に、主寝室１において、開き戸６を第１開口部４閉じの状態にロック操作できるようにもなされている。
【００１８】
上記の間取り構造では、主寝室１とサニタリールーム３とを第１開口部４を通じて直接、即ちホール２を通らずに行き来することができ、サニタリールーム３を主寝室１の一部とした贅沢な間取りを実現することができる。しかも、このサニタリールーム３とホール２とを第２開口部５を通じて直接、即ち主寝室１を通らずに行き来することができ、建物においてサニタリールームを主寝室１用とパブリック用の両方に兼用することができて、大変贅沢な間取りでありながら建築コストを低く抑えることができる。
【００１９】
加えて、第１，第２の開口部４，５は開き戸６で開閉されるようになされているので、図２（イ）に示すように、第１開口部４を開いて第２開口部５を閉じることで、サニタリールーム３をホール２から覗かれない主寝室１に専用のサニタリールームにすることができると共に、図２（ロ）に示すように、第２開口部５を開いて第１開口部４を閉じることでサニタリールーム３を主寝室１から覗かれないホール専用のサニタリールームにすることができる。
【００２０】
更に、開き戸６は第１，第２の開口部４，５に共通のものであるので、サニタリールーム３を主寝室１用としたり、パブリック用としたりする切り換えを１つの開き戸６を開閉するだけで容易に行うことができ、しかも、一方の開口部を閉じもう一方の開口部を開くという切換えを確実に行うことができる。
【００２１】
また、本実施形態では、サニタリールーム３を主寝室１から用いるときに、第２開口部５を開き戸６で閉じロックしておくことができるので、ひとがホール２からサニタリールーム３に入ろうとするのを阻止でき、主寝室１とサニタリールーム３との行き来を不安感を抱くことなく行え、また、サニタリールーム３をホール２から用いるとき、第１開口部４を開き戸６で閉じロックしておくことができるので、ひとが主寝室１からサニタリールーム３に入ろうとするのが阻止され、ホール２とサニタリールーム３との行き来についても不安感を抱くことなく行える。しかも、開き戸６はサニタリールーム３においてロックできるようになっているので、いずれの使用状態においても、開き戸６のロックを動き回ることなくサニタリールーム３において容易に行うことができる。
【００２２】
更に、第１開口部４を閉じた開き戸６を主寝室１においてロックできるようになされているので、ホール２からサニタリールーム３に入ったひとが主寝室１の開き戸６を開いてしまうのを防ぐことができ、主寝室１におけるプライバシーが暴かれてしまうのを防ぐことができる。
【００２３】
以上に、本発明の実施形態を示したが、本発明はこれに限られるものではなく、発明思想を逸脱しない範囲で各種の変更が可能である。例えば、上記の実施形態では、プライベートルームが寝室１、パブリックスペースがホール２である場合を示したが、廊下やリビング、ダイニング、キッチン等をパブリックスペースとしたり、主寝室以外の室をプライベートルームとしてもよい。また、サニタリールーム３は、トイレ、洗面室、浴室、シャワールーム等のいずれか一つ以上が備えられた室であればよい。また、上記の実施形態では、第１，第２の開口部４，５を隣接させ、各開口部４，５を共通の開き戸６で開閉できるようになされた場合を示しているが、開き戸６等の扉は省略されてもよいし、省略しない場合であっても、必要に応じて開口部４，５の向き関係を変更することにより共通の扉として引き戸等が用いられてもよい。また、各開口部にそれぞれの扉が別々に備えられていてもよいし、その場合には、開口部４，５は離れていてもよい。また、扉のロック関係は、サニタリールーム３におけるロックのみであってもよいし、プライベートルームにおけるロックのみであってもよい。
【図面の簡単な説明】
【００２４】
【図１】実施形態の間取り構造を示す間取り平面図である。
【図２】図（イ）（ロ）は使用方法を示す平面図である。
【符号の説明】
【００２５】
１…主寝室（プライベートルーム）
２…ホール（パブリックスペース）
３…サニタリールーム
４…第１開口部
５…第２開口部
６…開き戸（扉）
【図１】
2005068946.tif 000003
【図２】
2005068946.tif 000004